(57)【要約】【課題】空気清浄装置を構成する各電極に合わせて、各電極に最適な洗浄を行うことを可能とし、且つ通常の家庭における洗浄でも各電極に付着した塵等の微粒子を確実に除去する。【解決手段】放電電極７と対向電極４ａからなる荷電部と、集塵電極４ｂと非集塵電極６０１ａからなる集塵部とを備え、荷電部において空気中の微粒子に電荷を与え、集塵電極４ｂと非集塵電極６０１ａにより発生させた電界を通過させることにより微粒子を捕集する空気清浄装置３であって、放電電極７、対向電極４ａ、集塵電極４ｂ及び非集塵電極６０１ａのうち少なくとも１つの電極を分離して取り外しできるようにした。【選択図】　　　図２
2004000974.tif 000002
【特許請求の範囲】
【請求項１】
放電電極と対向電極からなる荷電部と、集塵電極と非集塵電極からなる集塵部とを備え、前記荷電部において空気中の微粒子に電荷を与え、前記集塵電極と前記非集塵電極により発生させた電界を通過させることにより前記微粒子を捕集する空気清浄装置であって、
前記対向電極は、体積固有抵抗値が１０７［Ω・ｃｍ］以下の導電性樹脂を主材料として一体成型により形成され、
前記集塵電極は、体積固有抵抗値が１０７［Ω・ｃｍ］以下の導電性樹脂を主材料として一体成型により形成され、
前記非集塵電極は、半絶縁性樹脂を用いて一体成型により形成され、
前記放電電極、前記対向電極、前記集塵電極及び前記非集塵電極のうち少なくとも１つの電極を分離して取り外しできるようにしたことを特徴とする空気清浄装置。
【請求項２】
前記対向電極と前記集塵電極とを一体の集塵電極ユニットとして構成し、当該集塵電極ユニットを前記放電電極及び前記非集塵電極から分離して取り外しできるようにしたことを特徴とする請求項１に記載の空気清浄装置。
【請求項３】
前記集塵電極ユニットを複数個備えて構成され、
前記集塵電極ユニットの１つの大きさが３０ｃｍ以下であることを特徴とする請求項２に記載の空気清浄装置。
【請求項４】
前記放電電極は前記非集塵電極に対して開閉可能に取り付けられた集塵電極カバー上に配置され、
前記集塵電極ユニットは前記集塵電極カバーと前記非集塵電極の間に配置されており、
前記集塵電極カバーを開くことにより前記集塵電極ユニットを取り外しできるようにしたことを特徴とする請求項２又は３に記載の空気清浄装置。
【請求項５】
前記集塵電極ユニットを前記非集塵電極が延在する方向にスライド可能とし、
前記集塵電極ユニットを前記非集塵電極に対してスライドさせて取り外しできるようにしたことを特徴とする請求項２〜４のいずれか１項に記載の空気清浄装置。
【請求項６】
前記集塵電極ユニットを前記非集塵電極に対して開閉可能にし、
前記集塵電極カバーの開き角度を前記集塵電極ユニットの開き角度よりも大きくしたことを特徴とする請求項４または５に記載の空気清浄装置。
【請求項７】
前記非集塵電極は、体積固有抵抗値が１０１０［Ω・ｃｍ］以上１０１４［Ω・ｃｍ］未満の半絶縁性樹脂を用いて一体成型により形成されていることを特徴とする請求項１〜６のいずれか１項に記載の空気清浄装置。
【請求項８】
前記請求項１〜７のいずれか１項に記載の空気清浄装置を備えたことを特徴とする空気調和機。
【発明の詳細な説明】
【０００１】
【発明の属する技術分野】
本発明は、空気清浄装置及び空気調和機に関し、特に室内機で熱交換を受ける空気に含まれる塵埃を集塵するために用いて好適なものである。
【０００２】
【従来の技術】
近時においては、空気中の塵埃を捕集するための空気清浄装置を内部に備えた空気調和機が一般的になりつつある。
【０００３】
図１２に示すように、空気調和機２０１においては、適当な期間毎に室内パネル２０２を開け空気清浄フィルタ（空気清浄装置）２０３を取り外し、空気清浄フィルタ２０３を洗浄する必要がある。このため、空気清浄フィルタ２０３は、空気調和機２０１内部のフィルタ保持枠に固定保持され、洗浄時にフィルタ保持枠から取り外れるように構成されている。
【０００４】
空気清浄フィルタ２０３としては、荷電部と集塵部を有する空気清浄フィルタ２０３が知られている。この空気清浄フィルタ２０３においては、荷電部は放電電極と対向電極から構成され、集塵部は集塵電極と非集塵電極から構成されている。そして、荷電部により空気中の微粒子（塵埃など）に電荷を与え、集塵部の非集塵電極及び集塵電極により発生させた電界を通過させることにより微粒子を捕集するようにしている（いわゆる静電式集塵装置）。
【０００５】
【発明が解決しようとする課題】
しかしながら、空気清浄フィルタ２０３は集塵電極、非集塵電極、放電電極、放電電極の電極を含む、多数のその他の部品から構成された複雑な構造であるため、一般家庭における空気清浄フィルタ２０３の洗浄のために構成部品個々まで分解し、元通りに組み立てることは非常に困難であった。このため、洗浄を行う場合、空気清浄フィルタ２０３を所定の洗浄液を入れた容器内に入れ、その容器内に空気清浄フィルタ２０３を入れて漬け置き洗いをするか、容器内で動かしてゆらし洗いを行っている。
【０００６】
この方法では、例えばタバコ煙を捕集した時のタール分などの除去が困難であった。これを充分に除去するためには、接触洗い、いわゆる擦り洗いをブラシ等を用いて行うのが一般的だが、前述の通り空気清浄フィルタ２０３は、集塵電極を構成する多数の電極が、同様に多数構成された非集塵電極に近接して噛み合うように対向配置され、放電電極も対向電極に近接して対向配置されており、一体的に構成されているので、フィルタ２０３の外側からブラシ等で擦っても、内蔵された放電電極、対向電極、集塵電極、非集塵電極に付着した塵埃を完全に除去することは困難であった。
【０００７】
一方で、集塵能力を高めるためには、空気清浄フィルタ２０３の面積は空気調和機１０１の中で最大限大きくすることが望ましい。従って、空気調和機２０１の内部においては、空気清浄フィルタ２０３を横方向に可能な限り延在させて広い面積を確保する場合がある。
【０００８】
しかし、集塵能力を高めるために空気清浄フィルタ２０３の大きさを拡大すると、空気清浄フィルタ２０３を洗浄する際に、通常の家庭で使用している洗浄用の容器（バケツ等）に入れることが困難となる。そして、空気清浄フィルタ２０３の一部しか洗浄液中に浸すことができないため、洗い残しが発生する等の問題が生じていた。従って、集塵能力の向上と洗浄の作業性を両立させることができなかった。
【０００９】
また、空気清浄フィルタ２０３は、上述のように放電電極、対向電極、集塵電極、非集塵電極を有して構成されているが、各電極は集塵作用のために異なる機能を有している。従って、一定時間稼働させた際に付着する塵埃の量もそれぞれの電極で異なる。このため、例えば付着する塵の量が最も多い集塵電極の洗浄時期に合わせて空気清浄フィルタ２０３の洗浄を行っても、放電電極の汚れは洗浄するレベルに達していないため、空気清浄フィルタ２０３の全体を洗浄することは非効率的であった。
【００１０】
更に、各電極は機能に応じて形状が異なるため、全ての電極を同じ洗浄方法で洗浄しても、各電極を確実に洗浄することはできなかった。例えば、放電極は金属線から構成されており、集塵電極は導電性を有する樹脂を材料とするフィン形状の電極から構成されているが、金属線に付着した塵を除去する場合と、フィンに付着した塵を除去する場合とでは、洗浄に用いるブラシ、ヘラ、雑巾等の道具も異なり、また各電極の洗浄に適した洗浄方法も異なるため、全ての電極を同一の洗浄道具、洗浄液で洗浄することにも問題があった。
【００１１】
本発明はこのような問題を解決するために成されたものであり、空気清浄装置を構成する各電極に合わせて、各電極に最適な洗浄を行うことを可能にし、且つ通常の家庭における洗浄でも各電極に付着した塵等の微粒子を確実に除去することを可能にすることを目的とする。
【００１２】
【課題を解決するための手段】
本発明の空気清浄装置は、放電電極と対向電極からなる荷電部と、集塵電極と非集塵電極からなる集塵部とを備え、前記荷電部において空気中の微粒子に電荷を与え、前記集塵電極と前記非集塵電極により発生させた電界を通過させることにより前記微粒子を捕集する空気清浄装置であって、前記対向電極は、体積固有抵抗値が１０７［Ω・ｃｍ］以下の導電性樹脂を主材料として一体成型により形成され、前記集塵電極は、体積固有抵抗値が１０７［Ω・ｃｍ］以下の導電性樹脂を主材料として一体成型により形成され、前記非集塵電極は、半絶縁性樹脂を用いて一体成型により形成され、前記放電電極、前記対向電極、前記集塵電極及び前記非集塵電極のうち少なくとも１つの電極を分離して取り外しできるようにしている。
【００１３】
本発明の空気清浄装置の一態様例においては、前記対向電極と前記集塵電極とを一体の集塵電極ユニットとして構成し、当該集塵電極ユニットを前記放電電極及び前記非集塵電極から分離して取り外しできるようにしている。
【００１４】
本発明の空気清浄装置の一態様例においては、前記集塵電極ユニットを複数個備えて構成され、前記集塵電極ユニットの１つの大きさが３０ｃｍ以下である。
【００１５】
本発明の空気清浄装置の一態様例においては、前記放電電極は前記非集塵電極に対して開閉可能に取り付けられた集塵電極カバー上に配置され、前記集塵電極ユニットは前記集塵電極カバーと前記非集塵電極の間に配置されており、前記集塵電極カバーを開くことにより前記集塵電極ユニットを取り外しできるようにしている。
【００１６】
本発明の空気清浄装置の一態様例においては、前記集塵電極ユニットを前記非集塵電極が延在する方向にスライド可能とし、前記集塵電極ユニットを前記非集塵電極に対してスライドさせて取り外しできるようにしている。
【００１７】
本発明の空気清浄装置の一態様例においては、前記集塵電極ユニットを前記非集塵電極に対して開閉可能にし、前記集塵電極カバーの開き角度を前記集塵電極ユニットの開き角度よりも大きくした。
【００１８】
本発明の空気清浄装置の一態様例においては、前記非集塵電極は、体積固有抵抗値が１０１０［Ω・ｃｍ］以上１０１４［Ω・ｃｍ］未満の半絶縁性樹脂を用いて一体成型により形成されている。
【００１９】
本発明の空気調和機は、上記の空気清浄装置を備えている。
【００２０】
【作用】
本発明においては、放電電極と、体積固有抵抗値が１０７［Ω・ｃｍ］以下の導電性樹脂を主材料として一体成型により形成された対向電極と、体積固有抵抗値が１０７［Ω・ｃｍ］以下の導電性樹脂を主材料として一体成型により形成された集塵電極と、半絶縁性樹脂材料にて一体に成形された非集塵電極とのうち少なくとも１つの電極を分離して取り外すことにより、各電極の汚れに応じた洗浄を、電極毎に行うことが可能となる。そして、各電極毎に洗浄を行うことにより、洗い残しが発生することなく、各電極に付着した塵等の汚れを確実に除去することができる。
【００２１】
【発明の実施の形態】
以下、本発明の一実施形態を図面に基づいて説明する。図１は、本実施形態に係る空気調和機（空気清浄装置）１００の全体構成を示す斜視図である。図１に示すように、空気調和機１００の本体ケース１の前面には開閉可能な吸込グリル２が取り付けられており、内部には集塵電極ユニット４を有して構成された静電式集塵装置３が内蔵されている。
【００２２】
図２は、図１に示す空気調和機１００において、吸込グリル２を取り外した状態を示す斜視図である。静電式集塵装置３は、集塵電極ユニット４、非集塵電極ユニット６０１を載置したフレーム６１０からなるフレームユニット６及び集塵電極カバー５から構成されている。集塵電極カバー５は、フレームユニット６の前面に取り付けられた集塵電極ユニット４の前面を覆うカバーであって、空気中の塵等の微粒子を荷電するための放電電極７が取り付けられている。図２に示すように、集塵電極カバー５も吸込グリル２と同様に上下方向に開閉可能とされており、本実施形態の空気調和機１００では集塵電極カバー５を開くことにより静電式集塵装置３中に内蔵された集塵電極ユニット４を取り外すことができる。
【００２３】
図３は、集塵電極カバー５を外した状態で、集塵電極ユニット４とフレームユニット６が組合わさった状態を示す模式図である。本実施形態では、静電式集塵装置３内に２つの集塵電極ユニット４が内蔵されている。そして、この集塵電極ユニット４とフレームユニット６の組み合わせに集塵電極カバー５が被せられて静電式集塵装置３が構成されている。
【００２４】
図４は、集塵電極カバー５の構造を示す模式図である。ここで、図４（ａ）は空気調和機１００の前面から集塵電極カバー５を見た正面図であり、図４（ｂ）は集塵電極カバー５を背面から見た背面図である。
【００２５】
図４（ａ）に示すように、集塵電極カバー５には清浄しようとする空気を通過させるための複数の通気孔５ａが形成されている。そして、図４（ｂ）に示すように、背面側、すなわち、集塵電極ユニット４側には、上下方向に並んだ通気孔５ａの中間位置に金属線からなる放電電極７（図４（ｂ）中に一点鎖線で示す）が配置されている。また、集塵電極カバー５の側面には、横方向に突出したボス５ｄ，５ｅが形成されており、集塵電極カバー５はボス５ｄ，５ｅを介してフレームユニット６に対して回動可能に組み付けられる。
【００２６】
次に、図６及び図７を参照しながら、静電式集塵装置３を構成する集塵電極ユニット４、フレームユニット６の構成について詳細に説明する。図６は、フレームユニット６の構造を示す模式図である。ここで、図６（ｃ）は、フレームユニット６の正面図を示している。図６（ｃ）に示すように、フレームユニット６は、非集塵電極ユニット６０１を固定載置したフレーム６１０からなっている。非集塵電極ユニット６０１は、図７（ｄ）及び図７（ｆ）に示すように、上下方向に延在する複数のフィン状の非集塵電極６０１ａを、上下端部の連結材で等間隔になるように配置し、半絶縁性樹脂材料（体積固有抵抗値が１０１０〜１０１３Ωｃｍ程度の材料）にて一体に成形されている。ここで、図７（ｄ）は非集塵電極ユニット６０１の正面図を、図７（ｅ）は、図７（ｄ）の右側面図を示している。また、フレーム６１０は、汎用樹脂材料（絶縁性）にて成形され、空気調和機１００への固定部位（図示せず）や非集塵電極ユニット６０１を固定するツメ部（図示せず）等を備えている。
【００２７】
図６（ａ）は、図６（ｃ）に示す一点鎖線ＩＩ−ＩＩ’に沿った断面を示す概略断面図である。図６（ａ）に示すように、複数の非集塵電極ユニット６０１の両側部に位置するフレーム６１０にはリブ６ｂが設けられ、リブ６ｂには上方向に向かって溝６ｃが形成されている。また、図６（ｂ）は、図６（ｃ）に示す一点鎖線ＩＩＩ−ＩＩＩ’に沿った断面を示す概略断面図である。図６（ｂ）に示すように、フレームユニット６には集塵電極カバー５を開閉可能に取り付けるための溝６ｄ，６ｅが形成されており、この溝６ｄ，６ｅに集塵電極カバー５の突起部５ｄ，５ｅが回動可能にかん合する。また、図６（ｄ）は図６（ｃ）のフレームユニット６の右側面を、図６（ｅ）は、図６（ｄ）に示す一点鎖線ＩＶ−ＩＶ’に沿った断面を示している。
【００２８】
集塵電極カバー５に形成されたボス５ｅには、図４（ｄ）に示すように先端に平面部５ｆが形成されている。同様に、ボス５ｄにも同様の傾斜角度で平面部が形成されている。集塵電極カバー５をフレームユニット６から取り外す際には、この平面部５ｆが図６（ｅ）に示す溝６ｄ，６ｅの先端の平行溝と平行になるまで集塵電極カバー５を回動させる。ただし、集塵電極カバー５を回動させた際に、常にフレームユニット６から外れてしまうと取り扱いが不便になると共に、集塵電極ユニット４をフレームユニット６から取り外す際に集塵電極カバー５が閉まってしまい、邪魔になることがないように、図６（ｃ）及び図６（ｄ）に示すように、フレームユニット６にはストッパ部６ｆが設けられ、また、集塵電極カバー５には爪部５ｇが設けられており、平面部５ｆが溝６ｄ，６ｅの先端の平行溝と平行になる手前で集塵電極カバー５の回動を停止させるようにしている。
【００２９】
すなわち、集塵電極カバー５の右側面には、図４に示すように外側に向かって突出した爪部５ｇが設けられている。そして、爪部５ｇがストッパ部６ｆと当接することにより、集塵電極カバー５を開閉した際に、平面部５ｆが溝部６ｄ，６ｅの先端と平行になる手前で集塵電極カバー５の回動が停止するように構成されている。
【００３０】
図１０（ａ）は、集塵電極カバー５を開いて、爪部５ｇがフレームユニット６のストッパ部６ｆに当接した状態を示している。また、図１０（ｂ）は、集塵電極カバー５を閉じた状態を示している。このように、集塵電極カバー５の側面に形成した爪部５ｇと、フレームユニット６に形成したストッパ部６ｆを係合させることにより、集塵電極カバー５の開き角度を所定の角度に設定することができる。
【００３１】
集塵電極カバー５を取り外す際には、爪部５ｇがストッパ部６ｆを乗り越え，更に、平面部５ｆと溝部６ｄ，６ｅの先端の平行溝とが平行になるまで集塵電極カバー５を回動させて、フレームユニット６から集塵電極カバー５を取り外す。
【００３２】
図７（ａ）〜図７（ｃ）は、集塵電極ユニット４を示している。図７（ａ）は、空気調和機１００の前面から集塵電極ユニット４を見た正面図であり、図７（ｃ）はその裏面を示している。そして、図７（ｂ）は、図７（ａ）の右側面図を示している。
【００３３】
図７（ｃ）に示すように、集塵電極ユニット４の裏面にはフィン状の集塵電極４ｂが平行等間隔に複数形成されている。集塵電極４ｂは、上下方向に延在するように構成されており、フレームユニット６に組み付けた際に各非集塵電極６０１ａ間の隙間に入り込んで各非集塵電極６０１ａと対向する。
【００３４】
一方、集塵電極ユニット４の表面には、図７（ａ）及び図７（ｂ）に示すように、水平方向に平行等間隔に延在する突起状の対向電極４ａが形成されている。対向電極４ａは、図７（ｂ）に示すように、断面形状が先端に向かって細くなるように形成されている。そして、表面の対向電極４ａと、裏面の集塵電極４ｂの双方が形成されていない領域には、清浄する空気を表面から裏面に向かって通過させるための通気孔４ｃが形成されている。
【００３５】
また、図７（ａ）に示すように、集塵電極ユニット４の両側面には、水平方向に突出する突起部４ｄが形成されている。突起部４ｄは、フレームユニット６のリブ６ｂに形成された溝６ｃにかん合し、これにより集塵電極ユニット４とフレームユニット６とが固定される。
【００３６】
このような構成の集塵電極ユニット４は、体積固有抵抗値が１０７Ωｃｍ以下の導電性樹脂を主材料とし一体成型により形成したものである。
【００３７】
図５は、図３に示したフレームユニット６と集塵電極ユニット４の組み合わせに集塵電極カバー５を被せた状態を示す断面図であり、図３及び図４（ａ）に示す一点鎖線Ｉ−Ｉ’に沿った断面を示している。図３及び図５に示すように、集塵電極カバー５の背面側に配置された放電電極７は、集塵電極ユニット４の表面に形成された複数の対向電極４ａ間に位置する。また、各非集塵電極６０１ａ間の隙間に、やはりフィン状に構成された集塵電極ユニット４の集塵電極４ｂが入り込み、非集塵電極６０１ａと集塵電極４ｂが対向する。
【００３８】
放電電極７には電力供給装置（不図示）が接続されている。一方、集塵電極ユニット４は、アース電位に接地されている。また、非集塵電極６０１ａに対しても、電力供給装置が接続されている。集塵電極カバー５の通気孔５ａから静電式集塵装置３内に流入した空気中の微粒子は、電力が供給された放電電極７によるコロナ放電により荷電され、集塵電極ユニット４に形成された複数の通気孔４ｃを通過して、集塵電極ユニット４の背面方向に流れる。そして、荷電された微粒子は、集塵電極４ｂと非集塵電極６０１ａの間に発生している電界中に導かれ、アース電位の集塵電極４ｂにおいて捕集される。
【００３９】
以上のような構成により、本実施形態の空気調和機１００においては、最も塵の付着が多い集塵電極４ｂを有する集塵電極ユニット４を静電式集塵装置３から独立して取り外すことができるため、集塵電極４ｂを洗浄して付着している塵等の微粒子を確実に除去することができる。
【００４０】
また、集塵電極カバー５もフレームユニット６から単体で取り外すことができるため、放電電極７に付着した塵等の微粒子も接触洗浄等ができ確実に除去することができる。
【００４１】
一方、非集塵電極６０１ａに付着する塵の量は、集塵電極ユニット４、放電電極７と比べて非常に少ないため、非集塵電極ユニット６０１は、フレーム６１０に載置したままの状態（＝フレームユニット６）で、空気調和機１００から外さずに、電気掃除機による吸引清掃や雑巾がけを行うことにより、付着した塵埃を除去することができる。
【００４２】
このように、放電電極７、集塵電極ユニット４（対向電極４ａ、集塵電極４ｂ）、非集塵電極６０１ａのそれぞれを独立して洗浄することができるため、各電極の汚れ量に応じて、各電極に最適の周期で洗浄を行うことができる。また、各電極の形状、塵の付着量に応じて異なる洗浄用具、洗浄液・洗浄方法を使い分けることができ、各電極に付着した塵等の微粒子を効率良く除去することができる。
【００４３】
更に、本実施形態では静電式集塵装置３内に２つの集塵電極ユニット４を収納するようにしているため、空気清浄の効率を最大限高めるために空気調和機１００内での静電式集塵装置３の大きさを最大限大きくした場合であっても、１つの集塵電極ユニット４の大きさを小さくすることができる。
【００４４】
従って、図１１に示すように、例えば家庭用のポリバケツ１０１内に入れた水若、洗浄液中に集塵電極ユニット４の全体を浸すことが可能となる。そして、ポリバケツ１０１内でブラシ等で集塵電極ユニット４を擦ることにより、付着した塵を完全に除去することができる。
【００４５】
静電式集塵装置３に内蔵する集塵電極ユニット４の大きさは、静電式集塵装置３の大きさに合わせて適宜変更することができる。好適には、１つの集塵電極ユニット４の大きさ（全長）を３０ｃｍ以下とすることにより、集塵電極ユニット４を一般家庭で使用しているポリバケツ１０１内に入れることができ、ポリバケツ１０１に入れた洗浄液に完全に浸した状態で洗浄を行うことができる。
【００４６】
次に、図８及び図９を参照しながら、静電式集塵装置３から集塵電極ユニット４を取り外し、空気調和機１００外に取り出す方法について説明する。図８は、空気調和機１００の断面を示している。空気調和機１００内には、本体ケース１の中にファン８が入れられており、その前方には室内熱交換器９ａ，９ｂが配置されている。
【００４７】
図８（ａ）は、空気調和機１００の使用時の状態を示しており、吸込グリル２及び集塵電極ユニット４を覆う集塵電極カバー５を共に閉じた状態を示している。図８（ｂ）は、吸込グリル２を開いた状態を示している。吸込グリル２を開くことにより、静電式集塵装置３が露出する。図８（ｃ）は、吸込グリル２及び集塵電極カバー５を開いて、集塵電極ユニット４を取り出す状態を示している。また、図８（ｄ）は、吸込グリル２、集塵電極カバー５及び集塵電極ユニット４を取り外した状態を示している。
【００４８】
図８（ｃ）に示すように、吸込グリル２の開き角度θ１を集塵電極カバー５の開き角度θ２よりも大きくすることにより、吸い込みグリル２を開いた状態で、空気調和機１００内で集塵電極カバー５と吸込グリル２が干渉することを抑止でき、集塵電極カバー５を確実に開閉することが可能となる。また、図８（ｄ）に示すように、集塵電極カバー５を取り外すことにより、フレームユニット６に付着した汚れを容易に除去することができる。
【００４９】
図９は、静電式集塵装置３から集塵電極ユニット４を取り外す一連の動作を示したものである。ここで、図９（ａ）は、静電式集塵装置３に対して集塵電極ユニット４が完全に装着された状態を示している。この状態では、集塵電極ユニット４の突起部４ｄが、フレームユニット６のリブ６ｂの溝６ｃの奥まで挿入されている。また、集塵電極ユニット４の対向電極４ａの間には、集塵電極カバー５に取り付けられた放電電極７が位置している。
【００５０】
図９（ｂ）は、集塵電極ユニット４を取り外すために、集塵電極ユニット４を覆う集塵電極カバー５を上方へ開いた状態を示している。そして、図９（ｃ）は、集塵電極ユニット４を取り外すために、集塵電極ユニット４を上方に向かって持ち上げた状態を示している。集塵電極ユニット４の突起部４ｄの形状を下方に向かって細くなる形状とすることにより、突起部４ｄを溝６ｃにかん合させた状態で集塵電極ユニット４を上方へ持ち上げることが可能となる。
【００５１】
図９（ｃ）の状態では、放電電極７が集塵電極ユニット４の対向電極４ａと接触しないように、集塵電極カバー５の開き角度θ２を集塵電極ユニット４の開き角度θ３よりも大きくしている。このため、集塵電極カバー５の放電電極７は、集塵電極ユニット４の対向電極４ａの先端から十分に離間し、取り外しの際に対向電極４ａが放電電極７と干渉することを抑止できる。
【００５２】
図９（ｄ）は、集塵電極ユニット４を持ち上げた状態で、集塵電極ユニット４を下方へスライドさせた状態を示している。
【００５３】
フレームユニット６の下部にはストッパが設けられている。フレームユニット６の下部にストッパを設けることにより、集塵電極ユニット４を持ち上げていない状態（図９（ｂ）参照）では、ストッパと集塵電極ユニット４を当接させて取り外しができないようにすることができる。従って、図９（ｃ）に示すように集塵電極ユニット４を持ち上げてからスライドさせるようにすることで、不用意に集塵電極ユニット４が外れてしまうことを抑止でき、特に空気調和機１００が頭上に取り付けられている場合に、下にいる作業者に対する安全性を高めることができる。
【００５４】
図９（ｅ）は、図９（ｂ）における突起部４ｄの近傍を拡大して示す模式図であり、図９（ｆ）は、図９（ｃ）における突起部４ｄの近傍を拡大して示す模式図である。図９（ｅ）及び図９（ｆ）に示すように、突起部４ｄは円柱状のボス４ｄ’とボス４ｄ’から溝６ｃの延在する方向に向かって形成されたリブ４ｄ”とを有して構成されている。
【００５５】
ボス４ｄ’の直径は、溝６ｃの幅と略同一であり、ボス４ｄ’が溝６ｃ内で回動可能であるため、集塵電極ユニット４をフレームユニット６に対して回動させることができる。そして、リブ４ｄ”は集塵電極ユニット４が回動する角度を規制するストッパーの役割を果たしている。
【００５６】
図９（ｂ）及び図９（ｅ）に示すように、集塵電極ユニット４を持ち上げていない状態では、突起部４ｄのリブ４ｄ”は溝６ｃの下面に当接している。一方、図９（ｃ）及び図９（ｆ）に示すように、集塵電極ユニット４を持ち上げた状態では、突起部４ｄのリブ４ｄ”は溝６ｃの上面に当接している。このように、リブ４ｄ”の幅を溝６ｃの幅より狭く形成し、集塵電極ユニット４に対するリブ４ｄ”の角度、リブ４ｄ”の厚さを設定することにより、集塵電極ユニット４の開き角度θ３を所定の角度に設定することができる。従って、集塵電極カバー５の開き角度θ２を集塵電極ユニット４の開き角度θ３よりも大きくすることができ、取り外しの際に対向電極４ａが放電電極７と干渉することを抑止できる。
【００５７】
以上説明したように、本実施形態によれば、最も塵の付着が多い集塵電極４ｂを有する集塵電極ユニット４を静電式集塵装置３から独立して取り外すことができるようにしたため、集塵電極４ｂの洗浄を確実に行うことができ、付着している塵等の汚れを完全に除去することができる。
【００５８】
また、集塵電極カバー５も静電式集塵装置３から独立して取り外すことできるため、放電電極７に付着した塵等の微粒子も確実に除去することができる。
【００５９】
従って、放電電極７、集塵電極ユニット４（対向電極４ａ、集塵電極４ｂ）、非集塵電極７のそれぞれを独立して洗浄することができるため、各電極の汚れ量に応じて、各電極に最適の周期で洗浄を行うことができる。また、各電極の形状、塵の付着量に応じて異なる洗浄用具、洗浄液・洗浄方法を使い分けることができ、各電極に付着した塵等の微粒子を効率良く除去することができる。
【００６０】
また、本実施形態によれば、静電式集塵装置３内に複数の集塵電極ユニット４を収納するようにしているため、空気清浄の効率を最大限高めるために空気調和機１００内での静電式集塵装置３の大きさを最大限大きくした場合であっても、集塵電極ユニット４単体での大きさを縮小することができる。従って、静電式集塵装置３の集塵効率を高く維持したまま、集塵電極ユニット４の洗浄性を向上させることが可能となる。
【００６１】
なお、本実施形態では空気調和機１００内に設けられた静電式集塵装置３を例に挙げて説明したが、本発明に係る空気清浄装置は空気調和機１００に適用する他、多種の機器内に設置することが可能である。
【００６２】
【発明の効果】
本発明によれば、空気清浄装置を構成する各電極に合わせて、各電極に最適な洗浄を行うことが可能となる。従って、通常の家庭における洗浄により、各電極に付着した塵等の微粒子を確実に除去することが可能となる。
【図面の簡単な説明】
【図１】本発明の一実施形態に係る空気調和機の全体構成を示す斜視図である。
【図２】図１の空気調和機において、吸込グリルを取り外した状態を示す斜視図である。
【図３】集塵電極カバー５を外した状態の静電式集塵装置を示す模式図である。
【図４】集塵電極カバーの構造を示す模式図である。
【図５】静電式集塵装置の構造を示す断面図である。
【図６】非集塵電極ユニットの構造を示す模式図である。
【図７】集塵電極ユニットの構造を示す模式図である。
【図８】空気調和器の構造を示す断面図である。
【図９】静電式集塵装置から集塵電極ユニットを取り外す一連の動作を示す模式図である。
【図１０】集塵電極カバーの開閉状態を示す模式図である。
【図１１】集塵電極ユニットをバケツに入れて洗浄する様子を示す模式図である。
【図１２】従来の空気調和機を示す斜視図である。
【符号の説明】
１　本体ケース
２　吸込グリル
３　静電式集塵装置
４　集塵電極ユニット
４ａ　対向電極
４ｂ　集塵電極
４ｃ　通気孔
４ｄ　突起部
４ｄ’　ボス
４ｄ”リブ
５　集塵電極カバー
５ａ　通気孔
５ｄ，５ｅ　ボス
５ｆ　平面部
５ｇ　爪部
６　フレームユニット
６０１　非集塵電極ユニット
６０１ａ　非集塵電極
６１０　フレーム
６ｂ　リブ
６ｃ，６ｄ，６ｅ　溝
６ｆ　ストッパ部
７　放電電極
８　ファン
９ａ，９ｂ　室内熱交換器
１００　空気調和機
１０１　容器（ポリバケツ）
【図１】
2004000974.tif 000003
【図２】
2004000974.tif 000004
【図３】
2004000974.tif 000005
【図４】
2004000974.tif 000006
【図５】
2004000974.tif 000007
【図６】
2004000974.tif 000008
【図７】
2004000974.tif 000009
【図８】
2004000974.tif 000010
【図９】
2004000974.tif 000011
【図１０】
2004000974.tif 000012
【図１１】
2004000974.tif 000013
【図１２】
2004000974.tif 000014